(57)【要約】      （修正有）【課題】落下等による外部からの衝撃を十分に吸収することにより、化粧料への耐衝撃性を向上することができる固形粉末化粧料用コンパクト容器の提供。【解決手段】開閉自在な蓋部１４を備えた容器本体１内に、化粧料を充填した中皿４を収納可能な有底皿状のトレー３と、該トレー３に下から環装される環状の基枠部２と、該基枠部２の上から被嵌される上枠部５とを収納する固形粉末化粧料コンパクト容器であって、前記トレー３はその周壁の外周側の上端よりフランジ２４が延伸して設けられ、トレー３を前記基枠部２の開口内に落とし込んで装着する際に該フランジ２４を基枠部２の周壁に掛止させるとともに、前記上枠部５および基枠部２により該フランジ２４を上下から微動可能に挟持することを特徴とする固形粉末化粧料用コンパクト容器。【選択図】図５
2014144114.tif 000002
【特許請求の範囲】
【請求項１】
開閉自在な蓋部を備えた容器本体内に、化粧料を充填した中皿を収納可能な有底皿状のトレーと、該トレーに下から環装される環状の基枠部と、該基枠部の上から被嵌される上枠部とを収納する固形粉末化粧料コンパクト容器であって、前記トレーはその周壁の外周側の上端よりフランジが延伸して設けられ、トレーを前記基枠部の開口内に落とし込んで装着する際に該フランジを基枠部の周壁に掛止させるとともに、前記上枠部および基枠部により該フランジを上下から微動可能に挟持することを特徴とする固形粉末化粧料用コンパクト容器。
【請求項２】
前記トレーのフランジの一部には切り欠き部が形成され、前記基枠部の周壁には該切り欠き部に挿入可能に形成された突出部が基枠部の周壁より上方に延伸して設けられていることを特徴とする請求項１に記載の固形粉末化粧料用コンパクト容器。
【請求項３】
前記トレーのフランジの一部には切り欠き部が形成され、前記上枠部の天壁には該切り欠き部に挿入可能に形成された爪部が下方へ突出して設けられていることを特徴とする請求項１または２に記載の固形粉末化粧料用コンパクト容器。
【請求項４】
前記上枠部の爪部はその内側面に係止突起が突設しており、前記基枠部の周壁に形成された凸条部と互いに係止可能となっていることを特徴とする請求項１ないし請求項３のいずれか１項に記載の固形粉末化粧料用コンパクト容器。
【請求項５】
前記基枠部の開口の内寸は、前記トレーの周壁の外寸に対して微動可能な程度の遊びを持たせるように形成されていることを特徴とする請求項１ないし請求項４のいずれか１項に記載の固形粉末化粧料用コンパクト容器。
【請求項６】
前記容器本体の底部とトレーの底部との間には空隙が形成されていることを特徴とする請求項１ないし請求項５のいずれか１項に記載の固形粉末化粧料用コンパクト容器。
【請求項７】
前記トレーの素材が撓み性を有する薄肉軽量樹脂により形成されていることを特徴とする請求項１ないし請求項６のいずれか１項に記載の固形粉末化粧料用コンパクト容器。
【発明の詳細な説明】
【技術分野】
【０００１】
本発明は、固形粉末化粧料を充填した中皿を収容するためのコンパクト容器に関し、更に詳細には、中皿を収納した樹脂トレーを微動可能に保持することで、化粧料への耐衝撃性を向上することができる固形粉末化粧料用コンパクト容器に関する。
【背景技術】
【０００２】
従来、ファンデーションやアイシャドウ、チークカラーなどの固形粉末化粧料を化粧料用中皿に充填し、かかる中皿を更にコンパクト容器に収納されることは一般的であるが、かかるコンパクト容器として、裏面に鏡を取り付けた蓋体と中皿の収納部を有する容器が多く用いられている。そして、かかるコンパクト容器はうっかり落としたときに落下の衝撃が内容物の化粧料に伝わって、化粧料に割れなどが生じることが問題とされていた。
【０００３】
そこで、特許文献１では、化粧料を充填したドラムを容器内で浮かせて格納することにより、外部からの衝撃を吸収することができるコンパクト容器が開示されている。また、特許文献２および３では、化粧料を充填した中皿とコンパクト容器本体との間に弾性部材からなる緩衝材を介在させて外部からの衝撃を吸収することができるコンパクト容器が開示されている。
【０００４】
しかしながら、特許文献１のものはドラムと容器本体との間に空隙を有するものの、その構造は、中皿を外皿に所定の範囲で揺れ可能に内装し、さらにこの中皿に化粧料を充填したドラムを浮かせて格納するというものであり、中皿は外皿に対して接着固定され、ドラムは中皿に対して固定されている。すなわち、外皿とドラムの間の空隙と、所定の範囲で揺れる中皿によって外部からの衝撃が吸収されるものの、ドラムは中皿を介して外皿に固定されており、大きな衝撃を十分に吸収できないおそれがあった。また、特許文献２および３のものも、緩衝材を介在させてはいるものの中皿は容器本体に直接固定されるため、緩衝材で吸収しきれない衝撃が外部から加わったときは化粧料にダメージが生じるおそれがあった。
【０００５】
とりわけ、近年では高級ブランドの化粧料に使用されるコンパクト容器は高級感を演出するために、容器の材質として金属を採用することにより容器自体の重量が増える傾向にあり、そのような場合、落下した際の衝撃がより大きくなるため、そのすべてを吸収することができないおそれがあった。さらに、固形粉末化粧料も柔らかい質感のものが好まれる傾向にあり、ソフトプレス工法により充填される場合がある。このような場合も化粧料の耐衝撃性が低下するため、従来の容器では外部からの衝撃に対して十分に保護できない場合があった。
【先行技術文献】
【特許文献】
【０００６】
【特許文献１】実開平２−９４７１８
【特許文献２】特開２０１１−１６０８６３
【特許文献３】特開２０１１−３６５７０
【発明の概要】
【発明が解決しようとする課題】
【０００７】
そこで本発明は、従来のコンパクト容器のかかる欠点を克服し、落下等による外部からの衝撃を十分に吸収することにより、化粧料への耐衝撃性を向上することができる固形粉末化粧料用コンパクト容器の提供をその課題とするものである。
【課題を解決するための手段】
【０００８】
本発明は、上記課題を解決するものであり、開閉自在な蓋部を備えた容器本体内に、化粧料を充填した中皿を収納可能な有底皿状のトレーと、該トレーに下から環装される環状の基枠部と、該基枠部の上から被嵌される上枠部とを収納する固形粉末化粧料コンパクト容器であって、前記トレーはその周壁の外周側の上端よりフランジが延伸して設けられ、トレーを前記基枠部の開口内に落とし込んで装着する際に該フランジを基枠部の周壁に掛止させるとともに、前記上枠部および基枠部により該フランジを上下から微動可能に挟持することを特徴とする固形粉末化粧料用コンパクト容器である。
【発明の効果】
【０００９】
本発明にかかる固形粉末化粧料用コンパクト容器は、中皿を収納するトレーを基枠部と上枠部で上下から挟持しつつ、完全には固定せず微動可能に保持することにより、外部からの衝撃を効果的に吸収して化粧料を保護することができる。
【００１０】
また、本発明にかかる固形粉末化粧料用コンパクト容器であって、容器本体の底部とトレーの底部との間に空隙が設けられているものは、トレーが微動可能に保持されていることと相俟って、外部からの衝撃をより効果的に吸収して化粧料を保護することができる。
【００１１】
さらに、本発明にかかる固形粉末化粧料用コンパクト容器であって、トレーが撓み性を有する薄肉軽量樹脂により形成されたものは、トレーが微動可能に保持されていることと相俟って、外部からの衝撃をより効果的に吸収して化粧料を保護することができる。
【図面の簡単な説明】
【００１２】
【図１】本発明の固形粉末化粧料用コンパクト容器の分解斜視図
【図２】（ａ）本発明の固形粉末化粧料用コンパクト容器の基枠部の平面図、（ｂ）同正面図、（ｃ）同断面図
【図３】（ａ）本発明の固形粉末化粧料用コンパクト容器のトレーの平面図、（ｂ）同断面図
【図４】（ａ）本発明の固形粉末化粧料用コンパクト容器の上枠部の平面図、（ｂ）同正面図、（ｃ）同底面図、（ｄ）同断面図
【図５】本発明の固形粉末化粧料用コンパクト容器の断面図
【発明を実施するための形態】
【００１３】
以下、本発明の固形粉末化粧料用コンパクト容器の実施態様を、図面に基づいて具体的に説明する。なお、本発明はこれら実施態様に何ら制約されるものではない。
【００１４】
図１は本発明の固形粉末化粧料用コンパクト容器の分解斜視図、図２（ａ）は本発明の固形粉末化粧料用コンパクト容器の基枠部の平面図、（ｂ）同正面図、（ｃ）同断面図、図３（ａ）は本発明の固形粉末化粧料用コンパクト容器のトレーの平面図、（ｂ）同断面図、図４（ａ）は本発明の固形粉末化粧料用コンパクト容器の上枠部の平面図、（ｂ）同正面図、（ｃ）同底面図、（ｄ）同断面図である。図中、１は容器本体、２は基枠部、３はトレー、４は中皿、５は上枠部、１１は底部、１２は周壁、１３は収納部、１４は蓋部、１５は鏡、１６は傾斜面、１７はつまみ部、１８はヒンジ部、２１は開口、２２は周壁、２３は突出部、２４はフランジ、３１は収納部、３２は底部、３３は周壁、３４は内フランジ、３５は外フランジ、３６は切り欠き部、３７は切り欠き部、４１は収納部、５１は開口、５２は天壁、５３は周壁、５４は爪部、２２１は凸条部、５４１は係止突起をそれぞれ示す。
【００１５】
図１に示すように、本発明の固形粉末化粧料用コンパクト容器は、蓋部１４を開閉自在に設けた容器本体１と、容器本体１内に収納される基枠部２、トレー３、化粧料を充填する中皿４および上枠部５からなる。以下、各部について詳述する。
【００１６】
容器本体１は、底部１１と底部１１の周縁から立設する周壁１２により収納部１３を形成しており、周壁１２には蓋部１４がヒンジ部１８により開閉自在に枢設され、ヒンジ部１８を設けた部分と対向する周壁１２部分には蓋部１４を開操作するためのつまみ部１７が設けられている。そして、収納部１３内には以下に説明する各部材が納められる。
【００１７】
基枠部２はトレー３に対して下から環装される部材である。図２に示すように、基枠部２は開口２１を有する環状に形成されており、円筒状の周壁２２の外周面下端からはフランジ２４が水平方向に突設し、正面側の周壁２２の一部が上方に延伸して凸状の突出部２３を形成している。また、周壁２２の外周面の中程には凸条部２２１が周方向に連続して形成されている。なお、基枠部２の開口２１の内寸は、後述するトレー３の周壁３３の外寸に対して微動可能な程度の遊びを持たせるようにやや大きめに形成されている。
【００１８】
トレー３は、化粧料を充填した中皿４を内部に収納可能な有底皿状に形成された部材である。図３に示すように、トレー３は、底部３２と、底部３２の周縁から立設する周壁３３により収納部３１を形成している。そして、周壁３３の外周側の上端からは内フランジ３４が水平方向に延伸し、その外縁からは、斜め下方に延伸し、更に水平に延伸する外フランジ３５が設けられている。この外フランジ３５には、部分的に凹状に切り欠かれた切り欠き部３６、切り欠き部３７が形成されている。これらのうち、切り欠き部３６は内フランジ３４に沿って等間隔に３箇所設けられており、切り欠き部３７はトレー３の正面側に１箇所設けられている。なお、このトレー３は撓み性を有する薄肉軽量樹脂により形成されている。材質としては特に制約はないが、例えば、ポリプロピレン、ポリエチレン、ポリエチレンテレフタレート、ポリスチレン、ポリカーボネート等の熱加撓性樹脂シートを真空成型した薄肉成型品が好ましい。また、厚みは０．２ｍｍ〜０．６ｍｍが適正であり、特に０．４ｍｍが好適である。  このように、トレー３が撓み性を有する薄肉軽量樹脂により形成されることにより、容器外部からの衝撃、特に蓋部や容器底部からの衝撃を効果的に吸収することができ、好ましい。
【００１９】
上枠部４は、基枠部２に被嵌可能に形成され、基枠部２とともにトレー３を挟持するための部材である。図４に示すように、上枠部５は開口５１を有する環状に形成されており、天壁５２の外周縁からは周壁５３が垂下して設けられている。また、天壁５２の裏面には爪部５４が等間隔に３箇所下方へ突出して設けられている。かかる爪部５４は矩形の板状に形成されているが、その内側面（開口５１側）の下部には係止突起５４１が突設しており、基枠部２の凸条部２２１と互いに係止可能となっている。
【００２０】
図２ないし図４に示した各部品の組み立て方法は以下の通りである（図１参照）。まず、化粧料が充填された中皿４をトレー３の収納部３１に収納する。次に、トレー３の周壁３３部分を基枠部２の開口２１内に落とし込んで装着する。このとき、トレー３の内フランジ３４の下面に基枠部２の周壁２２の上端部が当接し、外フランジ３５が周壁２２の外側へと突出する形になっている。すなわち、トレー３は内フランジ３４と外フランジ３５により、基枠部２の周壁２２に掛止した状態となっている。そして、基枠部２の周壁２２に設けられた突出部２３がトレー３の外フランジ３５の切り欠き部３７内に挿入される。突出部２３はその幅が切り欠き部３７の幅とほぼ同じに形成されているが、微動可能な程度の遊びができるよう切り欠き部３７の幅を突出部２３の幅よりも広めに形成されている。これにより、突出部２３の両端部が左右に配置される外フランジ３５のいずれかに当接することとなり、基枠部２に対してトレー３が回転することを防ぐことができる。また、基枠部２とトレー３は互いに固定はされず、前述のように基枠部２の開口２１の内寸がトレー３の周壁３３の外寸に対してやや大きめに形成されているため、基枠部２に対してトレー３は微動可能な状態で保持される。
【００２１】
次に、トレー３の内フランジ３４部分に天壁５２を被せるようにして上枠部５を取り付ける。このとき、天壁５２が基枠部２の周壁２２とともにトレー３の内フランジ３４を上下から挟み込むが、天壁５２の裏面と周壁２２の上端部の間隔は、内フランジ３４の厚みと同一ないし微動可能な程度の遊びを持たせるように内フランジ３４の厚みよりも広めに形成されている。そして、上枠部５に設けられた３箇所の爪部５４が、トレー３の３箇所の切り欠き３６内にそれぞれ挿入される。これにより、爪部５４の両端部が左右に配置される外フランジ３５のいずれかに当接することとなり、上枠部５に対してトレー３が回転することを防ぐことができる。また、爪部５４は三方向からトレー３を囲むように配置されており、かかる爪部５４の内側面が内フランジ３４の縁（切り欠き３６部分）に当接することによりトレー３の水平方向の動きも制約されているが、かかる接触部分には微動可能な程度の遊びが形成されており、かかる遊びによってトレー３の水平方向の微動が可能となっている。
【００２２】
切り欠き３６内に挿入された爪部５４は、基枠部２の周壁２２の外周面に沿う形で配置され、爪部５４に形成された係止突起５４１が周壁２２の凸条部２２１に係止される。また、基枠部２の突出部２３の上端が天壁５２の裏側に当接している。上枠部５は基枠部２に対して固定されており、その固定方法は上述の爪部５４の係止突起５４１と周壁２２の凸条部２２１との係止のみでもよく、また、その他の接着などの方法や、それらの方法の組み合わせにより固定しても良い。以上のとおり、基枠部２と上枠部５は互いに固定されるが、トレー３と基枠部２あるいは上枠部５とは互いに固定はされないため、トレー３は基枠部２と上枠部５の間において常に微動可能な状態で挟持される。
【００２３】
図５は本発明の固形粉末化粧料用コンパクト容器の断面図である。なお、本図では、容器本体１のつまみ部１７は省略する。図に示すように、容器本体１の底部１１にはその周縁部分が中心方向へ向かって低くなる傾斜面１６が設けられており、基枠部２のフランジ２４の下面がかかる傾斜面１６の上端部に接した状態になっている。また、トレー３は、その底部３２が基枠部２のフランジ２４よりも下方に突出するように基枠部２に装着されているが、収納部１３に収納されたときにかかる底部３２と収納部１３の底部１１との間に空隙が形成されている。このように、トレー３は底部３２が浮いた状態で容器本体１内に保持されるため、容器に外部から衝撃が加えられた場合にかかる空隙により衝撃を効果的に吸収することができる。なお、トレー３は底部１１と接することなく完全に浮いた状態としても良いし、あるいは、トレー３の一部、例えば、底部３２の周縁部分が部分的に傾斜面１６と接するようにしても良い。  
【００２４】
以上のとおり、トレー３は基枠部２および上枠部５に対して完全には固定されず、微動可能に挟持されていることにより、容器に外部から衝撃が加えられた場合でも、トレー３に直接その衝撃が伝わることがない。さらに、トレー３と容器本体１の収納部１３との間に空隙が設けられていることにより、かかる空隙によって衝撃が吸収されるため、化粧料を有効に保護することが可能となる。
【実施例】
【００２５】
以下に本発明を実施例で説明するが、本発明は、実施例のみに限定されるものではない。なお、実施例で用いた試験方法は以下の通りである。
【００２６】
［実施例１］
固形粉末化粧料をプレス圧＝２０ｋｇ／cm２で充填した中皿を収納した本発明にかかるコンパクト容器であって、本体が金属製のもののサンプルを５つ用意し、蓋部側、蝶番側、つまみ部側の三方向から、木製硬板上へ３０ｃｍ、４０ｃｍ、５０ｃｍの各高さから落下させた。５個のサンプルについて落下による変化（壊れ、剥れ、ひび、片寄り）の有無を調べ、その程度に従って耐衝撃性を評価した。
【００２７】
［比較例１］
固形粉末化粧料をプレス圧＝２０ｋｇ／cm２で充填した中皿を収納した衝撃吸収機構を備えないコンパクト容器であって、本体が金属製のサンプルを５つ用意し、実施例１と同様に落下試験を行い、耐衝撃性を評価した。
【００２８】
［比較例２］
固形粉末化粧料をプレス圧＝２０ｋｇ／cm２で充填した中皿を収納したコンパクト容器であって、本体が樹脂製のサンプルを５つ用意し、実施例１と同様に落下試験を行い、耐衝撃性を評価した。
【００２９】
これらの結果を表１に表す。なお、評価方法は以下の通りである。
（評価方法）
○=「蓋部側」「蝶番側」「つまみ部側」のいずれも問題なし
△=「蓋部側」「蝶番側」「つまみ部側」のいずれかひとつでヒビ、割れ等発生
×=「蓋部側」「蝶番側」「つまみ部側」のいずれかふたつでヒビ、割れ等発生
【００３０】
【表１】
2014144114.tif 000003
【００３１】
試験結果から明らかなように、実施例１は比較例と比べて耐衝撃性が良好であった。
【符号の説明】
【００３２】
１  …  …  容器本体
２  …  …  基枠部
３  …  …  トレー
４  …  …  中皿
５  …  …  上枠部
１１  …  …  底部
１２  …  …  周壁
１３  …  …  収納部
１４  …  …  蓋部
１５  …  …  鏡
１６  …  …  傾斜面
１７  …  …  つまみ部
１８  …  …  ヒンジ部
２１  …  …  開口
２２  …  …  周壁
２３  …  …  突出部
２４  …  …  フランジ
３１  …  …  収納部
３２  …  …  底部
３３  …  …  周壁
３４  …  …  内フランジ
３５  …  …  外フランジ
３６  …  …  切り欠き部
３７  …  …  切り欠き部
４１  …  …  収納部
５１  …  …  開口
５２  …  …  天壁
５３  …  …  周壁
５４  …  …  爪部
２２１  …  …  凸条部
５４１  …  …  係止突起    
【図１】
2014144114.tif 000004
【図２】
2014144114.tif 000005
【図３】
2014144114.tif 000006
【図４】
2014144114.tif 000007
【図５】
2014144114.tif 000008